(57)【要約】【課題】張線方向が異なる場合であっても一定の作業条件を保つことができるとともに、周辺の設備との干渉が生じにくい張線装置を提供する。【解決手段】張線装置１は、掴線器２、スライド部１０及びクランプ部２０から構成されている。スライド部１０はネジ軸１３と、このネジ軸１３が螺合されるベース部１１とにより送りネジ機構を構成している。ネジ軸１３を挟んで平行に配置されたガイドバー１４に沿ってベース部１１がスライドする。掴線器２はベース部１１上に立設された支持アーム１２に対して揺動可能に連結されている。クランプ部２０は、ネジ軸１３の延長線上に配置されている。ネジ軸１３に回転力を与える入力軸２１は、ネジ軸１３に直交する水平方向に対向して２箇所に配置されている。【選択図】図１
2019080442.tif 000002
【特許請求の範囲】
【請求項１】
架空地線の張り替えに用いられる張線装置であって、
掴線器が揺動可能に連結されるベース部と、
前記ベース部に対して螺合されて送りネジ機構を構成しているネジ軸と、
傘歯車によって前記ネジ軸に連結された入力軸と、
前記ネジ軸の延長線上に配置され、架空地線取付金物を挟持するクランプ部と
を備えたことを特徴とする張線装置。
【請求項２】
前記入力軸は、水平方向に対向して２つ配置されていることを特徴とする請求項１に記載の張線装置。
【請求項３】
２つの前記入力軸は、それぞれが、前記ネジ軸と一体に設けられている共通のマイタ歯車に対して連結されていることを特徴とする請求項２に記載の張線装置。
【発明の詳細な説明】
【技術分野】
【０００１】
本発明は、電柱間に渡される架空地線を張り替える際に用いられる張線装置に関するものである。
【背景技術】
【０００２】
電柱間に架設されたメッセンジャーワイヤーに沿ってスパイラルハンガーと呼ばれる螺旋状のケーブル支持具を配置し、このスパイラルハンガーをガイドとして内側にガイドワイヤーを通すことにより、電柱間にケーブルを渡す延設方法が知られている。この具体例を、図５に示す。
【０００３】
図５は、上述のような従来の延設方法を示している。２本の電柱１００の間にメッセンジャーワイヤー１０１が張設されており、このメッセンジャーワイヤー１０１に螺旋状に巻き付けるようにスパイラルハンガー１０２が配置されている。スパイラルハンガー１０２は、図５から分かるように、メッセンジャーワイヤー１０１との間に隙間を設けて巻き付けられている。
【０００４】
２本の電柱１００間にケーブルを渡す際、先ず、上述のメッセンジャーワイヤー１０１とスパイラルハンガー１０２との間の隙間にガイドワイヤー１０３が通される。このとき、ガイドワイヤー１０３がスパイラルハンガー１０２から外れないように、ガイドワイヤー１０３の先端には、先導具１０４が取り付けられている。この先導具１０４により、スパイラルハンガー１０２から外れることなく安定して進むことができる。
【０００５】
このようにして電柱１００間に渡したガイドワイヤー１０３の先端に、延設されるケーブルの先端が連結される。そして、ガイドワイヤー１０３を引き戻すことにより、ケーブルを電柱１００間に渡すことが可能となる。このような技術については、特許文献１に記載がある。
【０００６】
上述のような方法を用いると、延設すべきケーブルを下方に垂れ下がらせることなく確実に電柱間に渡すことができるので、下方の設備などと干渉することなく安全に作業を行うことができる。
【０００７】
ところで、高圧配電線の幹線部分及び幹線部分と連系する５径間以上の分岐部分には、雷害対策を目的とした架空地線（ＧＷ：グランドワイヤー）が施設されている。
【０００８】
この架空地線は、電柱頭部に取り付けられた架空地線取付金物の先端に施設される。この架空地線を張り替える際、上述のようなスパイラルハンガーを利用した方法を用いることができる。
【０００９】
この電柱頭部で架空地線取付金物に張力を生じさせた状態で架空地線を保持するための張線装置については、特許文献２に記載がある。
【先行技術文献】
【特許文献】
【００１０】
【特許文献１】特開２０１０−２３３４３４号公報
【特許文献２】特開２０１７−１２７０７６号公報
【発明の概要】
【発明が解決しようとする課題】
【００１１】
しかしながら、架空地線の張り替え作業において上述の張線装置を用いる際、張線方向が一定であるとは限らない。加えて、電柱頭部の周辺の設備も様々であり、それらの設備との干渉を避けながら安全に作業を行うことが困難な場合も生じ得る。このため、作業条件を一定に保ち、且つ周辺設備との干渉を避けるためには、張力に対して偏りをなくすと共に、張線装置をコンパクトに設計することが望まれる。
【００１２】
そこで、本発明は、張線方向が異なる場合であっても一定の作業条件を保つことができるとともに、周辺の設備との干渉が生じにくい張線装置を提供することを目的とする。
【課題を解決するための手段】
【００１３】
上記目的を達成するために、本発明の張線装置は、架空地線の張り替えに用いられる張線装置であって、掴線器が揺動可能に連結されるベース部と、前記ベース部に対して螺合されて送りネジ機構を構成しているネジ軸と、傘歯車によって前記ネジ軸に連結された入力軸と、前記ネジ軸の延長線上に配置され、架空地線取付金物を挟持するクランプ部とを備えたことを特徴とする。
【００１４】
また、本発明の張線装置は、上記の構成に加えて、前記入力軸は、水平方向に対向して２つ配置されていることを特徴とする。
【００１５】
また、本発明の張線装置は、上記の構成に加えて、２つの前記入力軸は、それぞれが、前記ネジ軸と一体に設けられている共通のマイタ歯車に対して連結されていることを特徴とする。
【発明の効果】
【００１６】
以上のように、本発明によれば、ネジ軸の延長線上にクランプ部が配置されているので、ネジ軸に沿って動くベース部に取り付けられた掴線器と架空地線取付金物の中心を一致させるように設置することができる。これにより、張線操作においてバランスを崩すことなく安定して作業を行うことが可能となる。
【００１７】
また、本発明によれば、上記効果に加えて、２つの入力軸が水平方向へ対向して配置されているので、作業するのに適切な方向から高所作業車のバケットを接近させることができる。
【００１８】
加えて、電柱の一方の側の架空地線を取り替えた後、続けて反対側の架空地線を取り替えるため、張線方向を反転させて設置しても、高所作業車を移動することなく同じ高所作業車のバケットで、すなわち、ほぼ同様の操作環境で作業を行うことが可能となる。
【００１９】
また、本発明によれば、上記効果に加えて、２つの入力軸は、それぞれが、ネジ軸に設けられたマイタ歯車を共用するように接続されているので、張線方向を反転させて設置しても、同じ回転方向に入力することによって張線操作を行うことができる。これにより、張線方向によって作業者が錯誤を生じる恐れがなく、人為ミスを防いで安全性の向上が図られる。
【図面の簡単な説明】
【００２０】
【図１】本発明の張線装置の全体斜視図である。
【図２】図１の張線装置の使用状態を示す図である。
【図３】図１の張線装置の平面図である。
【図４】図１の張線装置の内部構造を示す模式図である。
【図５】従来のケーブル延線方法を示す図である。
【発明を実施するための形態】
【００２１】
以下、本発明の実施の形態にかかる張線装置について図を用いて説明する。
【００２２】
図１は、本発明の張線装置１の全体斜視図である。張線装置１は、架空地線を掴持する掴線器２と、掴線器２をスライドさせるスライド部１０と、自身を電柱側に固定するためのクランプ部２０とから構成されている。
【００２３】
先ず、スライド部１０の構成から説明する。
【００２４】
スライド部１０のスライド機構には、送りネジ機構が用いられている。１本のネジ軸１３と並行に２本のガイドバー１４が配置されている。ネジ軸１３はベース部１１の中央に螺合によって貫通配置されている。また、２本のガイドバー１４は、同様にベース部１１に対して、ネジ軸１３の螺合位置を挟んだ両側に、摺動可能に貫通配置されている。これにより、ネジ軸１３の軸回転操作によってベース部１１を、ネジ軸１３の長手方向にスライドさせることができる。
【００２５】
ベース部１１上には、支持アーム１２が立設されている。この支持アーム１２に対して、掴線器２が上方へ揺動可能となるように連結されている。
【００２６】
続いて、クランプ部２０の構成を説明する。
【００２７】
クランプ部２０は、ネジ軸１３の延長線上に配置されているので、固定対象をネジ軸１３の延長線上に合わせて設置することができる。クランプ部２０は、平面視で略コの字型に形成されている部分と、このコの字型の開口部分を開閉する開閉フレーム２２とによって形成されている。開閉フレーム２２は、ノブ２５を緩めた状態で軸支ボルト１５を中心とした回動により開閉することができる。また、開閉フレーム２２には、押圧ボルト２３が内側に向けて貫通配置されており、押圧ボルト２３の先端に押圧板２４が連結されている。これにより、把持対象に圧接固定することができる。なお、押圧板２４は押圧ボルト２３に対して相対回転自在に取り付けられており、且つ、図１に示したように円板状に形成されている。これにより、上述のコの字型の部分の内壁に押圧板２４が干渉することなく開閉フレーム２２の開閉操作を行うことができる。加えて、押圧ボルト２３の軸回転に対して押圧板２４が供回りした場合であっても、同様に、上記コの字型の部分の内壁との干渉を防止できるので、押圧ボルト２３による締め付け動作をスムーズに行うことができる。
【００２８】
クランプ部２０の側方には、ネジ軸１３の長手方向に直交する水平方向に、２つの入力軸２１が対向配置されている。これら入力軸２１の少なくとも一方からの回転入力によって、ネジ軸１３が回転操作される。この回転伝達機構については、後に説明する。
【００２９】
図２は、図１の張線装置１の使用状態を示す図である。
【００３０】
電柱１００の上端には、架空地線取付金物３７が設置されており、この架空地線取付金物３７の上端に、交換される旧架空地線３３が架設されている様子が示されている。この旧架空地線３３を新架空地線３４（図中に二点鎖線で表示。）に張り替えるために、上述の張線装置１が用いられる。張線装置１は、クランプ部２０（図１参照）によって架空地線取付金物３７に固定されている。旧架空地線３３の周りには、スパイラルハンガー３５が巻き付けられている。このスパイラルハンガー３５は、新架空地線３４が張設される隣接した電柱（図示せず）との間に、ガイドのために配置される。
【００３１】
新架空地線３４は、電柱１００の下方から引き上げられる。この引き上げの際に、高圧線３６との干渉を避けるために、新架空地線３４は、支持棒３０、３１によって高圧線３６から離間した位置に支持されたガイドパイプ３２内を通される。そして、引き上げられた新架空地線３４の先端が、スパイラルハンガー３５内を通して隣接する電柱側へ送られる。
【００３２】
このようにして隣接する電柱側に接続された新架空地線３４は、架空地線取付金物３７に固定された張線装置１によって張り上げられる。
【００３３】
ここで、張線装置１の平面図を図３に示す。
【００３４】
図３に示すように、本発明の張線装置１は、平面視において略中央にネジ軸１３が設けられている。そして、このネジ軸１３の直上で架空地線を掴持できるように、掴線器２が連結されている。
【００３５】
さらに、ネジ軸１３の延長線上には、上述のようにクランプ部２０が設けられている。このように構成されているので、張設される新架空地線３４が架空地線取付金物３７（図２参照）の直上から外れることなく、張線装置１の掴線器２がスライド操作される。
【００３６】
したがって、張力を増減させる過程において、その反力によって張線装置１を架空地線取付金物３７の周りに回転させるような力が生じることがなく、安定して作業を行うことが可能である。
【００３７】
図３には、ネジ軸１３及び掴線器２と、クランプ部２０の中心を通る線に一点鎖線を重ねて表している。
【００３８】
また、上述のように、張線装置１は平面視において対称に構成されており、何れの側にも入力軸２１が設けられているので、作業者は何れの側からも作業を行うことが可能である。作業が行われる環境によっては、電線、配電機器、建屋、樹木等が近接もしくは輻輳している場合も想定されるが、２つの入力軸２１を備えているので、作業自由度の向上が図られる。これは、同じ位置で張線装置１を反転させて用いる際にも有利である。
【００３９】
次に、張線装置１の内部構造を図４に示す。なお、ここでは、全体の構成が分かる程度に、図１の張線装置１を模式的に平面図で表しており、説明の便宜のため、掴線器２やその他の細かな構成については図示を省略している。
【００４０】
図４（ａ）は、２つの入力軸２１のそれぞれに傘歯車２７、２８が対向して設けられており、これらの傘歯車２７、２８が、ネジ軸１３に設けられた傘歯車２６に連結された構成を示している。このように構成されているので、対向する２つの入力軸２１の何れからもネジ軸１３を操作することができる。
【００４１】
また、ネジ軸１３の傘歯車２６を共用しているので、張力を増大させる側へ向かう回転方向は、何れの入力軸２１に対しても同じである。したがって、張線装置１を反転させて用いる場合や、作業位置が入れ替わる場合であっても、逆操作を行うなどの作業者の錯誤が生じ難い構成となっている。これにより、人為ミスの発生を防ぐことができる。
【００４２】
なお、ここで説明した傘歯車２６〜２８は、十分な力の伝達が可能であれば、コンパクトに構成できるという理由から、マイタギアを用いるのが望ましい。しかし、スペース上の規制がなく、操作性を重視するのであれば、ベベルギアであっても構わない。
【００４３】
図４（ａ）の構成に限らず、以下に説明する図４（ｂ）、（ｃ）の構成を採用することも可能である。
【００４４】
図４（ｂ）は、ネジ軸１３に設けられる傘歯車２９とは逆向きに配置されている。その他の構成については、図４（ａ）と同様である。
【００４５】
図４（ｃ）は、ネジ軸１３側に、２つの対向する傘歯車２６、２９が設けられている。このうち、傘歯車２６に対しては、入力軸２１ａの傘歯車２７が連結されており、傘歯車２９に対しては、入力軸２１ｂの傘歯車２８が連結されている。図４（ｃ）の構成の場合、図４（ａ）、（ｂ）の構成とは異なり、入力軸２１ａ、２１ｂの回転方向は、張力の変化に対して同じではない。したがって、作業中に入力軸２１ａ、２１ｂを変える場合は、逆操作で対応する必要がある。しかし、ラチェット工具などを用いて往復動作により操作する場合は、力を加える向きと張力の変化する向きとが一致するので、直感的に作業を行うことができる。
【００４６】
なお、上記の実施の形態に示した構成は、本発明の一例であり、以下のような変形例も含まれる。
【００４７】
上記実施の形態では、ガイドバー１４をネジ軸１３の側方に配置した構成を例として示したが、掴線器２と干渉しない位置であれば、下方や上方に配置することも可能である。また、バランスをとれる構成であれば、２本構成に限らず、１本又は３本以上であっても構わない。
【００４８】
また、上記実施の形態では、クランプ部２０の開口の向きが、ネジ軸１３の延長方向になるように形成されている構成を例として示した。しかし、ネジ軸１３の延長線上に把持対象を収容し、固定できる構成であれば、開口は、ネジ軸１３に直交する方向に形成されていても構わない。
【００４９】
また、上記実施の形態では、入力軸２１がネジ軸１３と直交し、且つ水平方向に対向して配置されている構成を例として示した。しかし、平面視においてバランスを崩さない構成であれば、入力軸は少なくとも１つあれば十分であり、また、水平方向に配置する必要もない。
【００５０】
また、上記実施の形態では、支持アーム１２が、水平方向で且つ、ネジ軸１３に対して直角方向へ移動可能となるようにベース部１１に取り付けられている構成であっても構わない。もしくは、支持アーム１２が、ネジ軸１３に対して直角方向へ首振り可能となるようにベース部１１に連結され、その首振り角度が調整可能に構成されていても構わない。
【産業上の利用可能性】
【００５１】
配電線の架空地線という社会インフラの経年劣化が進行し、取り替えが必要になってくるが、本発明の張線装置により、容易に架空地線を取り替えることができる。
【００５２】
また、本発明の張線装置は、クランプ部と掴線器の中心位置が平面視で一致しているので、張設される線材と取付対象とが干渉しない環境であれば、建築現場における親綱の張設作業など、広い分野で利用することが可能である。
【符号の説明】
【００５３】
１      張線装置
２      掴線器
１０      スライド部
１１      ベース部
１２      支持アーム
１３      ネジ軸
１４      ガイドバー
１５      軸支ボルト
２０      クランプ部
２１、２１ａ、２１ｂ      入力軸
２２      開閉フレーム
２３      押圧ボルト
２４      押圧板
２５      ノブ
２６、２７、２８、２９      傘歯車
３０、３１      支持棒
３２      ガイドパイプ
３３      旧架空地線
３４      新架空地線
３５      スパイラルハンガー
３６      高圧線
３７      架空地線取付金物
１００      電柱
１０１      メッセンジャーワイヤー
１０２      スパイラルハンガー
１０３      ガイドワイヤー
１０４      先導具
【図１】
2019080442.tif 000003
【図２】
2019080442.tif 000004
【図３】
2019080442.tif 000005
【図４】
2019080442.tif 000006
【図５】
2019080442.tif 000007